(57)【要約】 【課題】各放電セルにおける放電特性を均一化してパネルの電圧マージンを向上させることが出来るＰＤＰを提供する。【解決手段】赤色列電極Ｄ１（Ｒ），緑色列電極Ｄ１（Ｇ），青色列電極Ｄ１（Ｂ）が、それぞれ、行行電極対（Ｘ，Ｙ）を構成する一対の行電極Ｙの透明電極Ｙａの先端部分Ｙａ１に対向する部分に、他の部分よりも行方向の幅ＷR，ＷG，ＷBが大きい拡幅部Ｄ１（Ｒ）ａ，Ｄ１（Ｇ）ａ，Ｄ１（Ｂ）ａを有し、緑色蛍光体層８（Ｇ）が形成された緑色放電セルＣ（Ｇ）に対向する緑色列電極Ｄ１（Ｇ）の拡幅部Ｄ１（Ｇ）ａが、赤色蛍光体層８（Ｒ），青色蛍光体層８（Ｂ）が形成された赤色放電セルＣ（Ｒ），青色放電セルＣ（Ｂ）に対向する赤色列電極Ｄ１（Ｒ），青色列電極Ｄ１（Ｂ）の拡幅部Ｄ１（Ｒ）ａ，Ｄ１（Ｂ）ａに対して、列方向にずれた位置に配置されている。【選択図】図２
2009004317.tif 000002
【特許請求の範囲】
【請求項１】
放電空間を介して対向する前面基板および背面基板と、前面基板の背面側に設けられて行方向に延び列方向に並設されてそれぞれ放電ギャップを介して互いに対向する一対の行電極によって構成された複数の行電極対と、背面基板の前面基板に対向する側に設けられて列方向に延び行方向に並設されて行電極対と交差する部分の放電空間にそれぞれ単位発光領域を構成する複数の列電極と、各単位発光領域内に形成されてそれぞれ異なる色の発色を行う蛍光体層とを備えているプラズマディスプレイパネルにおいて、
前記列電極が、それぞれ、行電極対を構成する一対の行電極のうちの一方の行電極の放電ギャップを介して他方の行電極に対向する先端部分に対向する部分に、他の部分よりも行方向の幅が大きい拡幅部を有し、
前記単位発光領域のうちの所要の色の発色を行う蛍光体層が形成された単位発光領域に対向する列電極の拡幅部が、他の色の発色を行う蛍光体層が形成された単位発光領域に対向する列電極の拡幅部に対して、列方向にずれた位置に配置されている、
ことを特徴とするプラズマディスプレイパネル。
【請求項２】
前記所要の色の発色を行う蛍光体層が形成された単位発光領域に対向する列電極の拡幅部が、列方向において単位発光領域の中心に対向する位置側にずれて、他の色の発色を行う蛍光体層が形成された単位発光領域に対向する列電極の拡幅部よりも放電ギャップに対向する面積が大きくなっている請求項１に記載のプラズマディスプレイパネル。
【請求項３】
前記列電極の拡幅部の列方向における位置が、対向する単位発光領域の蛍光体層が発色する色毎に異なっている請求項１に記載のプラズマディスプレイパネル。
【請求項４】
前記列電極の拡幅部が、蛍光体層を挟んで行電極と列電極間において放電を発生させ難い蛍光材料によって蛍光体層が形成されている単位発光領域に対向する列電極の順に、単位発光領域の中心に対向する位置に近接している請求項１に記載のプラズマディスプレイパネル。
【請求項５】
前記所要の色の発色を行う蛍光体層が形成された単位発光領域に対向する列電極の拡幅部の列方向の幅が、他の色の発色を行う蛍光体層が形成された単位発光領域に対向する列電極の拡幅部の列方向の幅よりも大きくなっている請求項１に記載のプラズマディスプレイパネル。
【請求項６】
前記列電極の拡幅部の列方向の幅が、対向する単位発光領域の蛍光体層が発色する色毎に異なっている請求項１に記載のプラズマディスプレイパネル。
【請求項７】
前記列電極の拡幅部の列方向の幅が、蛍光体層を挟んで行電極と列電極間において放電を発生させ難い蛍光材料によって蛍光体層が形成されている単位発光領域に対向する列電極の順に大きくなっている請求項１に記載のプラズマディスプレイパネル。
【請求項８】
前記列電極の拡幅部の行方向の幅が互いに同じ大きさになっている請求項１に記載のプラズマディスプレイパネル。
【請求項９】
前記蛍光体層が、単位発光領域毎に赤，緑，青色の発色を行う蛍光材料によって形成され、緑色の発色を行う蛍光材料によって蛍光体層が形成された単位発光領域に対向する列電極の拡幅部が、赤色および青色の発色を行う蛍光材料によってそれぞれ蛍光体層が形成された単位発光領域に対向する列電極の拡幅部に対して、列方向にずれた位置に配置されている請求項１に記載のプラズマディスプレイパネル。
【請求項１０】
前記緑色の発色を行う蛍光材料によって蛍光体層が形成された単位発光領域に対向する列電極の拡幅部が、列方向において単位発光領域の中心に対向する位置側にずれて、赤色および青色の発色を行う蛍光材料によってそれぞれ蛍光体層が形成された単位発光領域に対向する列電極の拡幅部よりも放電ギャップに対向する面積が大きくなっている請求項９に記載のプラズマディスプレイパネル。
【請求項１１】
前記列電極の拡幅部が、緑色の発色を行う蛍光材料によって蛍光体層が形成された単位発光領域に対向する列電極，赤色の発色を行う蛍光材料によってそれぞれ蛍光体層が形成された単位発光領域に対向する列電極，青色の発色を行う蛍光材料によってそれぞれ蛍光体層が形成された単位発光領域に対向する列電極の順に、単位発光領域の中心に対向する位置に近接する位置に配置されている請求項９に記載のプラズマディスプレイパネル。
【請求項１２】
前記緑色の発色を行う蛍光材料によって蛍光体層が形成された単位発光領域に対向する列電極の拡幅部の列方向の幅が、赤色および青色の発色を行う蛍光材料によってそれぞれ蛍光体層が形成された単位発光領域に対向する列電極の拡幅部の列方向の幅よりも大きくなっている請求項９に記載のプラズマディスプレイパネル。
【請求項１３】
前記列電極の拡幅部の列方向の幅が、緑色の発色を行う蛍光材料によって蛍光体層が形成された単位発光領域に対向する列電極，赤色の発色を行う蛍光材料によってそれぞれ蛍光体層が形成された単位発光領域に対向する列電極，青色の発色を行う蛍光材料によってそれぞれ蛍光体層が形成された単位発光領域に対向する列電極の順に大きくなっている請求項９に記載のプラズマディスプレイパネル。
【請求項１４】
前記一対の行電極は、それぞれ、行方向に延びる本体部と、この本体部から列方向に突出して単位発光領域ごとに放電ギャップを介して互いに対向する突出部とを有し、この突出部は他方の突出部に対向する先端部分が本体部に接続される基端部分よりも幅広に形成され、一方の行電極の突出部の幅広に形成された先端部分に列電極の拡幅部がそれぞれ対向されている請求項１に記載のプラズマディスプレイパネル。
【請求項１５】
前記前面基板と背面基板の間に少なくとも列方向に延びる縦壁部を有する隔壁が設けられて、この隔壁によって前面基板と背面基板の間の放電空間が各単位発光領域毎に区画されている請求項１に記載のプラズマディスプレイパネル。
【発明の詳細な説明】
【技術分野】
【０００１】
この発明は、面放電方式交流型プラズマディスプレイパネルの構造に関する。
【背景技術】
【０００２】
図１は、従来の面放電方式交流型プラズマディスプレイパネル（以下、ＰＤＰと略称する）の構成を示す正面図である。
【０００３】
図１において、この従来のＰＤＰは、前面ガラス基板に設けられた複数の行電極対（Ｘ，Ｙ）と、この前面ガラス基板に放電空間Ｓを介して対向する背面ガラス基板に設けられた複数の列電極Ｄ（Ｒ），Ｄ（Ｇ），Ｄ（Ｂ）とを備えており、各行電極対（Ｘ，Ｙ）と交差する部分の放電空間Ｓにそれぞれ放電セルＣが構成され、行電極対（Ｘ，Ｙ）を構成する行電極Ｘ，Ｙが、それぞれ、Ｔ字形状に形成されたＩＴＯ等の透明導電膜からなる透明電極Ｘａ，Ｙａと行方向に延びて透明電極Ｘａ，Ｙａの基端部に接続された金属膜からなるバス電極Ｘｂ，Ｙｂとによって構成されている。
各列電極Ｄ（Ｒ），Ｄ（Ｇ），Ｄ（Ｂ）は、それぞれ、放電ギャップｇを介して対向して対になっている透明電極ＸａとＹａに対向している。
【０００４】
そして、各列電極Ｄの透明電極Ｙａの先端部分に対向する部分に、それぞれ、各列電極Ｄ（Ｒ），Ｄ（Ｇ），Ｄ（Ｂ）の他の部分よりも行方向における幅が大きい拡幅部Ｄ（Ｒ）ａ，Ｄ（Ｇ）ａ，Ｄ（Ｂ）ａが形成されているとともに、緑色の蛍光体層が形成された放電セルＣに対向する列電極Ｄ（Ｇ）の拡幅部Ｄ（Ｇ）ａの行方向の幅が、他の赤および青色の蛍光体層が形成された放電セルＣに対向する列電極Ｄ（Ｒ），Ｄ（Ｂ）の拡幅部Ｄ（Ｒ）ａ，Ｄ（Ｂ）ａの行方向の幅よりも大きくなるように設定されている（例えば、特許文献１参照）。
【０００５】
この従来のＰＤＰは、行電極Ｙの透明電極Ｙａの先端部分と各列電極Ｄ（Ｒ），Ｄ（Ｇ），Ｄ（Ｂ）との間で、蛍光体層を挟んで対向放電であるアドレス放電が発生される際に、各列電極Ｄ（Ｒ），Ｄ（Ｇ），Ｄ（Ｂ）に形成された拡幅部Ｄ（Ｒ）ａ，Ｄ（Ｇ）ａ，Ｄ（Ｂ）ａによって、アドレス放電が拡幅部Ｄ（Ｒ）ａ，Ｄ（Ｇ）ａ，Ｄ（Ｂ）ａにそれぞれ対向する透明電極Ｙａの先端部分に集中して発生するようになるので、このアドレス放電の放電領域が放電セルＣの周縁部に広がるのが抑制されて、安定した放電特性が得られるようになるという特徴を備えている。
【０００６】
さらに、この従来のＰＤＰは、放電を発生させ難い緑色の蛍光体層が形成された放電セルＣに対向する列電極Ｄ（Ｇ）の拡幅部Ｄ（Ｇ）ａの行方向の幅が他の列電極の拡幅部の行方向の幅よりも大きくなっていることにより、各放電セルＣの蛍光体層を形成する蛍光材料の違いによって放電特性に違いが発生するのが抑制されて、均一なアドレス放電を発生させることが出来るようになり、これによって、電圧マージンを広くすることが出来るという特徴を備えている。
【０００７】
しかしながら、近年のようにＰＤＰのフルＨＤ化などによって画面の高精細化が進んでくると、これに伴って、各放電セルＣのそれぞれの行方向の幅が狭くなってゆくため、従来のＰＤＰのように列電極に幅広部を設け、さらに、所要の色の蛍光体層が形成された放電セルに対向する列電極の拡幅部の行方向の幅を他の色の蛍光体層が形成された放電セルに対向する列電極の拡幅部の行方向の幅よりも大きくしようとすると、この列電極の拡幅部の両端部が放電空間を放電セル毎に区画する例えば図１に示されるような隔壁Ｐの一部に重なってしまう場合が生じてくる。
【０００８】
このため、上記のような従来のＰＤＰの構造では、列電極と隔壁の重なりによって行電極と列電極間に生じる静電容量の増大を招いたり、アドレス放電の放電電圧が上昇してしまう等の問題が発生する虞がある。
【０００９】
【特許文献１】特開２００３−１６９４４号公報
【発明の開示】
【発明が解決しようとする課題】
【００１０】
この発明は、上記のような従来のＰＤＰが有している問題点を解決することをその技術的課題の一つとしている。
【課題を解決するための手段】
【００１１】
この発明によるＰＤＰは、上記目的を達成するために、放電空間を介して対向する前面基板および背面基板と、前面基板の背面側に設けられて行方向に延び列方向に並設されてそれぞれ放電ギャップを介して互いに対向する一対の行電極によって構成された複数の行電極対と、背面基板の前面基板に対向する側に設けられて列方向に延び行方向に並設されて行電極対と交差する部分の放電空間にそれぞれ単位発光領域を構成する複数の列電極と、各単位発光領域内に形成されてそれぞれ異なる色の発色を行う蛍光体層とを備えているプラズマディスプレイパネルにおいて、前記列電極が、それぞれ、行電極対を構成する一対の行電極のうちの一方の行電極の放電ギャップを介して他方の行電極に対向する先端部分に対向する部分に、他の部分よりも行方向の幅が大きい拡幅部を有し、前記単位発光領域のうちの所要の色の発色を行う蛍光体層が形成された単位発光領域に対向する列電極の拡幅部が、他の色の発色を行う蛍光体層が形成された単位発光領域に対向する列電極の拡幅部に対して、列方向にずれた位置に配置されていることを特徴としている。
【発明を実施するための最良の形態】
【００１２】
この発明は、放電空間を介して対向する前面基板および背面基板と、前面基板の背面側に設けられて行方向に延び列方向に並設されてそれぞれ放電ギャップを介して互いに対向する一対の行電極によって構成された複数の行電極対と、背面基板の前面基板に対向する側に設けられて列方向に延び行方向に並設されて行電極対と交差する部分の放電空間にそれぞれ単位発光領域を構成する複数の列電極と、各単位発光領域内に形成されてそれぞれ異なる色の発色を行う蛍光体層とを備え、列電極が、それぞれ、行電極対を構成する一対の行電極のうちの一方の行電極の放電ギャップを介して他方の行電極に対向する先端部分に対向する部分に、他の部分よりも行方向の幅が大きい拡幅部を有し、前記単位発光領域のうちの所要の色の発色を行う蛍光体層が形成された単位発光領域に対向する列電極の拡幅部が、他の色の発色を行う蛍光体層が形成された単位発光領域に対向する列電極の拡幅部に対して、列方向にずれた位置に配置されているＰＤＰをその最良の実施形態としている。
【００１３】
この実施形態のＰＤＰによれば、各列電極に形成された拡幅部によって、それぞれ、行電極対の一方の行電極の放電ギャップを介して他方の行電極に対向する先端部分と列電極との対向面積が拡大されているので、ＰＤＰの駆動時に、一方の行電極と列電極間でアドレス放電が行われる際に、このアドレス放電が行電極の放電ギャップが位置する単位発光領域の中央部分に集中して発生するようになり、放電発生領域が放電セルの周縁部に広がるのが防止されて、安定した放電特性を得ることが出来るようになる。
【００１４】
さらに、このＰＤＰは、各単位発光領域内に形成された異なる色、例えば、赤，緑，青色の発色を行う蛍光体層のうち、所要の色、例えば緑色の発色を行う蛍光体層が、この蛍光体層を挟んで行われるアドレス放電を他の色の発色を行う蛍光体層よりも発生させ難い蛍光材料によって形成されている場合に、この所要の色の発色を行う蛍光体層が形成された単位発光領域に対向する列電極の拡幅部が、他の色の発色を行う蛍光体層が形成された単位発光領域に対向する列電極の拡幅部に対して列方向にずれた位置に配置されるので、このアドレス放電を発生させ難い蛍光体層が形成された単位発光領域に対向する列電極の拡幅部を、他の列電極の拡幅部よりもアドレス放電を発生させ易い位置に配置することが出来、これによって、アドレス放電を発生させ難い蛍光体層が形成された単位発光領域におけるアドレス放電の放電電圧を低下させて、他の色の発色を行う単位発光領域における放電電圧とほぼ等しくなるように設定することにより、各単位発光領域における放電特性を均一化してパネルの電圧マージンを向上させることが出来るようになる。
【００１５】
上記実施形態のＰＤＰにおいて、所要の色、例えば緑色の発色を行う蛍光体層が形成された単位発光領域に対向する列電極の拡幅部が、列方向において単位発光領域の中心に対向する位置側にずれて、他の色、例えば赤および青色の発色を行う蛍光体層が形成された単位発光領域に対向する列電極の拡幅部よりも放電ギャップに対向する面積が大きくなるようにするのが好ましい。
【００１６】
これによって、アドレス放電を発生させ難い蛍光体層が形成された単位発光領域におけるアドレス放電の放電電圧がさらに低下されて、他の色の発色を行う単位発光領域における放電電圧とほぼ等しくなるように設定するのが容易になる。
【００１７】
さらに、上記実施形態のＰＤＰにおいて、蛍光材料による蛍光体層の放電特性が発色する色、例えば赤，緑，青色毎に異なる場合に、列電極の拡幅部の列方向における位置を対向する単位発光領域の蛍光体層が発色する色毎に異なるように設定し、例えば、蛍光体層を挟んで行電極と列電極間においてアドレス放電を発生させ難い蛍光材料によって蛍光体層が形成されている単位発光領域に対向する列電極の順、例えば緑色の蛍光体層，赤色の蛍光体層，青色の蛍光体層がそれぞれ形成された単位発光領域に対向する列電極の順に、拡幅部が単位発光領域の中心に対向する位置に近接するように配置するのが好ましい。
【００１８】
これによって、アドレス放電の放電電圧が、アドレス放電を発生させ難い単位発光領域の順に低下して、各色の発色を行う単位発光領域における放電電圧を均一化するのがさらに容易になる。
【００１９】
さらに、上記実施形態のＰＤＰにおいて、所要の色、例えば緑色の発色を行う蛍光体層が形成された単位発光領域に対向する列電極の拡幅部の列方向の幅が、他の色、例えば赤および青色の発色を行う蛍光体層が形成された単位発光領域に対向する列電極の拡幅部の列方向の幅よりも大きくなるように設定するのが好ましい。
【００２０】
これによって、このＰＤＰは、所要の色の発色を行う蛍光体層が形成された単位発光領域に対向する列電極の拡幅部の面積を、他の色の発色を行う蛍光体層が形成された単位発光領域に対向する列電極の拡幅部の面積よりも大きくすることが出来、これによって、所要の色の発色を行う蛍光体層が形成された単位発光領域におけるアドレス放電の放電電圧を低下させて他の色の発色を行う蛍光体層が形成された単位発光領域におけるアドレス放電の放電電圧と等しくなるように設定することが可能になるとともに、例えばフルＨＤのような画面の高精細化が進んで単位発光領域の面積が小さくなった場合に、行方向に隣接する単位発光領域間を区画する隔壁を備えたＰＤＰにおいても、列電極の拡幅部の行方向の両端部が隔壁に重なるのを回避することが出来るようになり、これによって、従来のＰＤＰのように列電極の拡幅部が隔壁と重なって行電極と列電極間の静電容量を増大させたり放電電圧の低下の効果を喪失したりするのを防止することが出来るようになる。
【００２１】
さらに、上記実施形態のＰＤＰにおいて、列電極の拡幅部の列方向の幅を、対向する単位発光領域の蛍光体層が発色する色毎に、例えば蛍光体層を挟んで行電極と列電極間においてアドレス放電を発生させ難い蛍光材料によって蛍光体層が形成されている単位発光領域に対向する列電極の順、例えば緑色の蛍光体層，赤色の蛍光体層，青色の蛍光体層がそれぞれ形成された単位発光領域に対向する列電極の順に、大きくなるように設定するのが好ましい。
【００２２】
これによって、アドレス放電の放電電圧が、アドレス放電を発生させ難い蛍光体層が形成された単位発光領域の順に低下されて、各色の発色を行う単位発光領域における放電電圧を均一化するのがさらに容易になる。
【実施例１】
【００２３】
図２および３は、この発明によるＰＤＰの実施形態における第１実施例を示しており、図２はこの第１実施例のＰＤＰを模式的に表す正面図であり、図３は図１のIII−III線における断面図である。
この図２および３において、表示面である前面ガラス基板１の背面に、複数の行電極対（Ｘ，Ｙ）が、行方向（図２の左右方向）に延びるとともに列方向（図２の上下方向）に互いに平行に配列されている。
【００２４】
この行電極対（Ｘ，Ｙ）の対になっている行電極ＸとＹは、それぞれ、幅広の先端部Ｘａ１，Ｙａ１と幅狭の基端部Ｘａ２，Ｙａ２とによってＴ字形状に形成された複数の透明電極Ｘａ，Ｙａと、前面ガラス基板１の行方向に延びて透明電極Ｘａ，Ｙａの基端部Ｘａ２，Ｙａ２に接続された金属膜からなるバス電極Ｘｂ，Ｙｂとによって構成されており、このバス電極Ｘｂ，Ｙｂに沿って透明電極Ｘａ，Ｙａがそれぞれ等間隔に並設されていて、各行電極対（Ｘ，Ｙ）毎に、透明電極ＸａとＹａの先端部Ｘａ１とＹａ１同士が、それぞれ、所要の幅の放電ギャップｇを介して対向されて互いに対になっている。
【００２５】
そして、互いに隣接する行電極対（Ｘ，Ｙ）の行電極ＸとＹは、その列方向の位置が交互に入れ替わっていて、行電極Ｘ同士および行電極Ｙ同士が互いに背中合わせに位置するように配置されている。
【００２６】
さらに、前面ガラス基板１の背面には誘電体層２が形成されて、行電極対（Ｘ，Ｙ）が被覆されており、この誘電体層２の背面には、互いに隣接する行電極対（Ｘ，Ｙ）の背中合わせに隣接するバス電極ＸｂとＹｂおよびこのバス電極ＸｂとＹｂの間の領域に対向する位置に、誘電体層２の背面から突出するとともに行方向に延びる嵩上げ誘電体層（図示せず）が形成されている。
そして、この誘電体層２と嵩上げ誘電体層（図示せず）の背面上には、ＭｇＯからなる保護層４が形成されている。
【００２７】
この前面ガラス基板１に対して、背面ガラス基板５が、所要の間隔を介して対向する位置に配置され、この背面ガラス基板５の前面ガラス基板１に対向する側（表示側）の面上に、複数の列電極Ｄ１（Ｒ），Ｄ１（Ｇ），Ｄ１（Ｂ）が、それぞれ、行電極対（Ｘ，Ｙ）の互いに対になっている透明電極ＸａとＹａに対向する位置において、列方向に延びるとともに行方向に互いに所要の間隔を空けて等間隔に配列されている。
この各列電極Ｄ１（Ｒ），Ｄ１（Ｇ），Ｄ１（Ｂ）の形状については、後で詳述する。
【００２８】
さらに、背面ガラス基板５の表示側の面上には白色の列電極保護層（誘電体層）６が形成されて、この列電極保護層６によって列電極Ｄ１（Ｒ），Ｄ１（Ｇ），Ｄ１（Ｂ）が被覆されており、この列電極保護層６上に、隔壁７が形成されている。
【００２９】
この隔壁７は、互いに平行に配列された各列電極Ｄ１（Ｒ），Ｄ１（Ｇ），Ｄ１（Ｂ）の間の位置において列方向に延びる縦壁７Ａと、行電極Ｘ，Ｙのバス電極Ｘｂ，Ｙｂにそれぞれ対向する位置において行方向に延びる横壁７Ｂとによって、略梯子形状に成形されている。
【００３０】
この各隔壁７は、隣接する行電極対（Ｘ，Ｙ）の互いに背中合わせに位置するバス電極ＸｂとＹｂの間の部分に対向する位置において行方向に延びる隙間ＳＬを挟んで、列方向に平行に並設されている。
そして、この各隔壁７によって、前面ガラス基板１と背面ガラス基板５の間に形成される放電空間が、各行電極対（Ｘ，Ｙ）の対になっている透明電極ＸａとＹａに対向する部分毎に区画されて、それぞれ方形の放電セルＣ（Ｒ），Ｃ（Ｇ），Ｃ（Ｂ）が形成されている。
【００３１】
放電セルＣ（Ｒ）内には、列電極保護層６の表面と隔壁７の縦壁７Ａおよび横壁７Ｂの側面の五つの面上に、赤色の発色を行う蛍光材によって、これら五つの面を覆う赤色蛍光体層８（Ｒ）が形成されている（以下、この放電セルＣ（Ｒ）を赤色放電セルＣ（Ｒ）という）。
【００３２】
放電セルＣ（Ｇ）内には、列電極保護層６の表面と隔壁７の縦壁７Ａおよび横壁７Ｂの側面の五つの面上に、緑色の発色を行う蛍光材によって、これら五つの面を覆う緑色蛍光体層８（Ｇ）が形成されている（以下、この放電セルＣ（Ｇ）を緑色放電セルＣ（Ｇ）という）。
【００３３】
放電セルＣ（Ｂ）内には、列電極保護層６の表面と隔壁７の縦壁７Ａおよび横壁７Ｂの側面の五つの面上に、青色の発色を行う蛍光材によって、これら五つの面を覆う青色蛍光体層８（Ｂ）が形成されている（以下、この放電セルＣ（Ｂ）を青色放電セルＣ（Ｂ）という）。
【００３４】
この赤色放電セルＣ（Ｒ）と緑色放電セルＣ（Ｇ），青色放電セルＣ（Ｂ）は、それぞれ行方向に順に並ぶように配列されている。
そして、それぞれ、赤色放電セルＣ（Ｒ）には列電極Ｄ１（Ｒ）が対向されており（以下、この列電極Ｄ１（Ｒ）を赤色列電極Ｄ１（Ｒ）という）、緑色放電セルＣ（Ｇ）には列電極Ｄ１（Ｇ）が対向されており（以下、この列電極Ｄ１（Ｇ）を緑色列電極Ｄ１（Ｇ）という）、青色放電セルＣ（Ｂ）には列電極Ｄ１（Ｂ）が対向されている（以下、この列電極Ｄ１（Ｂ）を青色列電極Ｄ１（Ｂ）という）。
【００３５】
これら赤色列電極Ｄ１（Ｒ），緑色列電極Ｄ１（Ｇ），青色列電極Ｄ１（Ｂ）には、それぞれ、行電極Ｙの透明電極Ｙａに対向する部分に、拡幅部Ｄ１（Ｒ）ａ，Ｄ１（Ｇ）ａ，Ｄ１（Ｂ）ａを有していて、この拡幅部Ｄ１（Ｒ）ａ，Ｄ１（Ｇ）ａ，Ｄ１（Ｂ）ａは、それぞれの行方向の幅ＷR，ＷG，ＷBが、列電極の他の帯状の部分Ｄ１（Ｒ）ｂ，Ｄ１（Ｇ）ｂ，Ｄ１（Ｂ）ｂの幅Ｗr，Ｗg，Ｗbよりも大きくなるように成形されている。
【００３６】
この赤色列電極Ｄ１（Ｒ），緑色列電極Ｄ１（Ｇ），青色列電極Ｄ１（Ｂ）の各拡幅部Ｄ１（Ｒ）ａ，Ｄ１（Ｇ）ａ，Ｄ１（Ｂ）ａの行方向の幅ＷR，ＷG，ＷBは、互いに同じ大きさ（ＷＲ＝ＷＧ＝ＷＢ）になっている。
【００３７】
さらに、この赤色列電極Ｄ１（Ｒ），緑色列電極Ｄ１（Ｇ），青色列電極Ｄ１（Ｂ）の各拡幅部Ｄ１（Ｒ）ａ，Ｄ１（Ｇ）ａ，Ｄ１（Ｂ）ａの列方向の幅Ｌ１R，Ｌ１G，Ｌ１Bは、緑色列電極Ｄ１（Ｇ）の拡幅部Ｄ１（Ｇ）ａの幅Ｌ１Gが、赤色列電極Ｄ１（Ｒ）の拡幅部Ｄ１（Ｒ）ａの幅Ｌ１Rおよび青色列電極Ｄ１（Ｂ）の拡幅部Ｄ１（Ｂ）ａの幅Ｌ１Bよりも大きく、拡幅部Ｄ１（Ｒ）ａの列方向の幅Ｌ１Rと拡幅部Ｄ１（Ｂ）ａの列方向の幅Ｌ１Bは同じ大きさになっている（Ｌ１G＞Ｌ１R＝Ｌ１B）。
【００３８】
そして、緑色列電極Ｄ１（Ｇ）の拡幅部Ｄ１（Ｇ）ａは、その列方向の両端部が他の赤色列電極Ｄ１（Ｒ）の拡幅部Ｄ１（Ｒ）ａおよび青色列電極Ｄ１（Ｂ）の拡幅部Ｄ１（Ｂ）の列方向の両端部よりもそれぞれ列方向の両側に張り出す位置に位置されており、緑色放電セルＣ（Ｇ）の中央側に位置する側の端部が放電ギャップｇに対向されている。
【００３９】
赤色列電極Ｄ１（Ｒ）および青色列電極Ｄ１（Ｂ）の拡幅部Ｄ１（Ｒ）ａ，Ｄ１（Ｂ）は、互いに列方向において同じ位置で、それぞれ赤色放電セルＣ（Ｒ），青色放電セルＣ（Ｂ）の中央側に位置する端部が行電極Ｙの透明電極Ｙａの先端部とほぼ重なる位置に位置されている。
【００４０】
前面ガラス基板１と背面ガラス基板４の間の放電空間内には、キセノンを含む放電ガスが封入されている。
【００４１】
上記ＰＤＰにおける画像形成は、次のようにして行われる。
すなわち、全放電セル内において一斉にリセット放電が発生されて全放電セルの初期化が行われた後、行電極Ｙに走査パルスが印加されるとともに、各赤色列電極Ｄ１（Ｒ），緑色列電極Ｄ１（Ｇ），青色列電極Ｄ１（Ｂ）に選択的にデータ・パルスが印加されて、行電極Ｙとデータ・パルスが印加された赤色列電極Ｄ１（Ｒ），緑色列電極Ｄ１（Ｇ），青色列電極Ｄ１（Ｂ）との間でアドレス放電が発生される。
【００４２】
このアドレス放電が発生した赤色放電セルＣ（Ｒ），緑色放電セルＣ（Ｇ），青色放電セルＣ（Ｂ）では、それぞれ、放電セル内に対向する部分の誘電体層２に壁電荷が形成され、または、形成されていた壁電荷が消去されることによって、発光セル（誘電体層２に壁電荷が形成されている放電セル）と非発光セル（誘電体層２に壁電荷が形成されていない放電セル）が、映像信号の画像データに対応してパネル面に分布される。
【００４３】
このアドレス放電の発生後、全ての行電極対（Ｘ，Ｙ）に対して、行電極Ｘと行電極Ｙに交互にサステイン・パルスが印加されて、各発光セルにおいて、サステイン・パルスが印加される毎に、行電極Ｘ，Ｙの対になっている透明電極ＸａとＹａ間で放電ギャップｇを介してサステイン放電が発生される。
【００４４】
このサステイン放電によって、発光セル内の放電ガス中のキセノンから真空紫外線が発生し、この真空紫外線によって、それぞれの発光セルの赤色蛍光体層８（Ｒ）、緑色蛍光体層８（Ｇ），青色蛍光体層８（Ｂ）が励起されて三原色である赤，緑，青の可視光が発光されることにより、パネル面にマトリクス表示による画像が形成される。
【００４５】
このＰＤＰは、赤色列電極Ｄ１（Ｒ），緑色列電極Ｄ１（Ｇ），青色列電極Ｄ１（Ｂ）に形成された拡幅部Ｄ１（Ｒ）ａ，Ｄ１（Ｇ）ａ，Ｄ１（Ｂ）ａによって、行電極Ｙの透明電極Ｙａの先端部Ｙａ１における赤色列電極Ｄ１（Ｒ），緑色列電極Ｄ１（Ｇ），青色列電極Ｄ１（Ｂ）との対向面積が、それぞれ、透明電極Ｙａの基端部Ｙａ２における対向面積よりも拡大されているので、上記のようなＰＤＰの駆動時に、アドレス放電が透明電極Ｙａの先端部Ｙａ１に集中して発生するようになり、放電発生領域が各放電セルの周縁部に広がるのが防止されて、安定した放電特性を得ることが出来るようになる。
【００４６】
さらに、このＰＤＰは、緑色列電極Ｄ１（Ｇ）の拡幅部Ｄ１（Ｇ）ａの面積が、他の赤色列電極Ｄ１（Ｒ），青色列電極Ｄ１（Ｂ）の拡幅部Ｄ１（Ｒ）ａ，Ｄ１（Ｂ）ａの面積よりも大きくなっているので、放電を発生させ難い緑色蛍光材によって形成された緑色蛍光体層８（Ｇ）が形成された緑色放電セルＣ（Ｇ）におけるアドレス放電の放電電圧を低下させて、赤色放電セルＣ（Ｒ），青色放電セルＣ（Ｂ）における放電電圧とほぼ等しくなるように設定することが可能になり、これによって、各放電セルにおける放電特性がほぼ等しくなってパネルの電圧マージンの向上が図られるようになる。
【００４７】
そして、このＰＤＰは、緑色列電極Ｄ１（Ｇ）の拡幅部Ｄ１（Ｇ）ａが、その列方向の幅Ｌ１Gが他の赤色列電極Ｄ１（Ｒ），青色列電極Ｄ１（Ｂ）の拡幅部Ｄ１（Ｒ）ａ，Ｄ１（Ｂ）ａの列方向の幅Ｌ１R，Ｌ１Bよりも大きくなるように設定されることによって、その面積が他の赤色列電極Ｄ１（Ｒ），青色列電極Ｄ１（Ｂ）の拡幅部Ｄ１（Ｒ）ａ，Ｄ１（Ｂ）ａの面積よりも大きくなっているので、例えばフルＨＤのような画面の高精細化が進んで放電セルの面積が小さくなった場合でも、緑色列電極Ｄ１（Ｇ）の拡幅部Ｄ１（Ｇ）ａの行方向の両端部が緑色放電セルＣ（Ｇ）を区画する隔壁７の縦壁７Ａに重なるのを回避することが出来、これによって、従来のＰＤＰのように列電極の拡幅部が隔壁と重なって行電極と列電極間の静電容量を増大させたり放電電圧の低下の効果を喪失したりするのを防止することが出来るようになる。
【００４８】
そしてさらに、このＰＤＰは、緑色列電極Ｄ１（Ｇ）の拡幅部Ｄ１（Ｇ）ａが、他の赤色列電極Ｄ１（Ｒ），青色列電極Ｄ１（Ｂ）の拡幅部Ｄ１（Ｒ）ａ，Ｄ１（Ｂ）ａよりも行電極Ｘ，Ｙの透明電極ＸａとＹａ間の放電ギャップｇに対向する位置側に張り出すように配置されているので、緑色放電セルＣ（Ｇ）におけるアドレス放電の放電電圧が低下し、これによっても、赤色放電セルＣ（Ｒ），緑色放電セルＣ（Ｇ），青色放電セルＣ（Ｂ）におけるアドレス放電の放電電圧を容易に均等にすることが出来るようになる。
【００４９】
なお、上記実施例においては、緑色蛍光体層を形成する蛍光材料がアドレス放電を最も発生させ難い場合について説明を行ったが、赤色蛍光体層や青色蛍光体層を形成する蛍光材料が最もアドレス放電を発生させ難いＰＤＰについても、適用することが出来る。
【００５０】
また、上記実施例においては、略梯子形状の隔壁を備えたＰＤＰを例に挙げて説明を行ったが、この発明は、略格子形状の隔壁や列方向に延びるストライプ形状の隔壁等、あらゆる形状の隔壁を備えたＰＤＰについても適用することが出来る。
【００５１】
また、上記実施例においては、透明電極が放電セル毎にバス電極から列方向に突出して島状に成形されている行電極を備えたＰＤＰを例に挙げて説明を行ったが、この発明は、透明電極が行方向に連続するストライプ状に成形されている行電極を備えたＰＤＰについても適用することが出来る。
【実施例２】
【００５２】
図４は、この発明の実施形態における第２実施例のＰＤＰを模式的に示す正面図である。
【００５３】
前述した第１実施例のＰＤＰにおいては、緑色列電極の拡幅部の面積が他の赤色列電極，青色列電極の拡幅部よりも大きくなっており、赤色列電極と青色列電極の拡幅部の面積が互いに等しくなっている。
【００５４】
これに対して、この第２実施例のＰＤＰは、緑色列電極Ｄ２（Ｇ）の拡幅部Ｄ２（Ｇ）ａの面積が他の赤色列電極Ｄ２（Ｒ），青色列電極Ｄ２（Ｂ）の拡幅部Ｄ２（Ｒ）ａ，Ｄ２（Ｂ）ａよりも大きくなっていることに加えて、青色列電極Ｄ２（Ｂ）の拡幅部Ｄ２（Ｂ）ａの面積が赤色列電極Ｄ２（Ｒ）の拡幅部Ｄ２（Ｒ）ａの面積よりも小さくなっている構成を備えている。
【００５５】
すなわち、赤色列電極Ｄ２（Ｒ），緑色列電極Ｄ２（Ｇ），青色列電極Ｄ２（Ｂ）の拡幅部Ｄ２（Ｒ）ａ，Ｄ２（Ｇ）ａ，Ｄ２（Ｂ）ａは、それぞれの行方向の幅ＷR，ＷG，ＷB は互いに同じ大きさ（ＷR＝ＷG＝ＷB）になっているが、列方向の幅Ｌ２R，Ｌ２G，Ｌ２B は、緑色列電極Ｄ２（Ｇ）の拡幅部Ｄ２（Ｇ）ａの列方向の幅Ｌ２G が一番大きく、青色列電極Ｄ２（Ｂ）の拡幅部Ｄ２（Ｂ）ａの列方向の幅Ｌ２B が一番小さく（ＬG＞ＬR＞ＬB）なるように成形されている。
【００５６】
そして、緑色列電極Ｄ２（Ｇ）の拡幅部Ｄ２（Ｇ）ａは、その列方向の両端部が他の赤色列電極Ｄ２（Ｒ）の拡幅部Ｄ２（Ｒ）ａおよび青色列電極Ｄ２（Ｂ）の拡幅部Ｄ２（Ｂ）の列方向の両端部よりもそれぞれ列方向に張り出す位置に位置されており、緑色放電セルＣ（Ｇ）の中央側に位置する側の端部が放電ギャップｇに対向されている。
【００５７】
赤色列電極Ｄ２（Ｒ）および青色列電極Ｄ２（Ｂ）の拡幅部Ｄ２（Ｒ）ａ，Ｄ２（Ｂ）の放電セルの中央側に位置する端部は、互いに列方向において同じ位置で、それぞれ行電極Ｙの透明電極Ｙａの先端部とほぼ重なる位置に位置されている。
【００５８】
この実施例におけるＰＤＰの他の部分の構成は、前述した第１実施例のＰＤＰと同様であり、同一の構成部分については図４に第１実施例のＰＤＰと同一の符号が付されている。
【００５９】
第１実施例において前述したように、緑色放電セルＣ（Ｇ）の緑色蛍光体層８（Ｇ）を形成する緑色蛍光材料は、他の赤色放電セルＣ（Ｒ），青色放電セルＣ（Ｂ）のそれぞれの蛍光体層を形成する蛍光材料よりも蛍光体層を介したアドレス放電を発生させ難いが、赤色蛍光体層６Ｒを形成する赤色蛍光材料と青色蛍光体層８（Ｂ）を形成する青色蛍光材料とを比較した場合、青色蛍光材料の方が赤色蛍光材料よりも蛍光体層を介したアドレス放電を発生させ易い。
【００６０】
このため、この実施例のＰＤＰにおいては、緑色列電極Ｄ２（Ｇ）の拡幅部Ｄ２（Ｇ）ａの面積が最も大きくなっているとともに、青色列電極Ｄ２（Ｂ）の拡幅部Ｄ２（Ｂ）ａの面積が赤色列電極Ｄ２（Ｒ）の拡幅部Ｄ２（Ｒ）ａの面積よりも小さくなっている。
【００６１】
これによって、緑色放電セルＣ（Ｇ）におけるアドレス放電の放電電圧が低下し、青色放電セルＣ（Ｂ）におけるアドレス放電の放電電圧が増加して、それぞれの放電電圧が赤色放電セルＣ（Ｒ）におけるアドレス放電の放電電圧とほぼ等しくなるように設定されるので、第１実施例の場合よりも赤，緑，青の放電セルＣ（Ｒ），Ｃ（Ｇ），Ｃ（Ｂ）における放電特性がさらに均一化されて、パネルの電圧マージンの向上がさらに図られるようになる。
【００６２】
この実施例にＰＤＰにおける他の技術的効果については、前述した第１実施例のＰＤＰと同様である。
【００６３】
そして、本発明を、上記のような略梯子形状の隔壁を備えたＰＤＰの他、略格子形状の隔壁や列方向に延びるストライプ形状の隔壁等、あらゆる形状の隔壁を備えたＰＤＰについても適用出来ること、および、上記のような透明電極が放電セル毎にバス電極から列方向に突出して島状に成形されている行電極を備えたＰＤＰの他、透明電極が行方向に連続するストライプ状に成形されている行電極を備えたＰＤＰにも適用出来ることについても、第１実施例の場合と同様である。
【００６４】
なお、上記実施例においては、緑色蛍光体層を形成する蛍光材料がアドレス放電を最も発生させ難く、青色蛍光体層を形成する蛍光材料がアドレス放電を最も発生させ易い場合を例に挙げて説明を行ったが、この例の場合に限らず、列電極の拡幅部は、アドレス放電を発生させ難い蛍光体層が形成された放電セルに対向する列電極の順に面積が大きくなるように形成される。
【実施例３】
【００６５】
図５は、この発明の実施形態における第３実施例のＰＤＰを模式的に示す正面図である。
【００６６】
前述した第１実施例のＰＤＰにおいては、緑色列電極の拡幅部の面積が他の赤色列電極，青色列電極の拡幅部よりも大きくなっている。
これに対して、この第３実施例のＰＤＰは、赤色列電極Ｄ３（Ｒ），緑色列電極Ｄ３（Ｇ），青色列電極Ｄ３（Ｂ）の拡幅部Ｄ３（Ｒ）ａ，Ｄ３（Ｇ）ａ，Ｄ３（Ｂ）ａが、それぞれの行方向の幅ＷR，ＷG，ＷB と列方向の幅Ｌ３R，Ｌ３G，Ｌ３B が何れも互いに同じ大きさ（ＷR＝ＷG＝ＷB，ＬG＝ＬR＝ＬB）に設定されて、面積が互いに等しくなるように形成されている。
【００６７】
そして、緑色列電極Ｄ３（Ｇ）の拡幅部Ｄ３（Ｇ）ａが、他の赤色列電極Ｄ３（Ｒ）および青色列電極Ｄ３（Ｂ）の拡幅部Ｄ３（Ｒ）ａ，Ｄ３（Ｂ）ａよりも列方向において緑色放電セルＣ（Ｇ）の中央側にずれた位置に配置されており、この緑色列電極Ｄ３（Ｇ）の拡幅部Ｄ３（Ｇ）ａの緑色放電セルＣ（Ｇ）の中央側に位置する端部が、透明電極Ｘａ，Ｙａ間の放電ギャップｇに対向する位置に位置されている。
【００６８】
赤色列電極Ｄ３（Ｒ）および青色列電極Ｄ３（Ｂ）の拡幅部Ｄ３（Ｒ）ａ，Ｄ３（Ｂ）ａの放電セルの中央側に位置する端部は、互いに列方向において同じ位置で、それぞれ行電極Ｙの透明電極Ｙａの先端部にほぼ重なる位置に位置されている。
【００６９】
この実施例におけるＰＤＰの他の部分の構成は、前述した第１実施例のＰＤＰと同様であり、同一の構成部分については図５に第１実施例のＰＤＰと同一の符号が付されている。
【００７０】
このＰＤＰは、赤色列電極Ｄ３（Ｒ），緑色列電極Ｄ３（Ｇ），青色列電極Ｄ３（Ｂ）にそれぞれ行電極Ｙの透明電極Ｙａに対向する拡幅部Ｄ３（Ｒ）ａ，Ｄ３（Ｇ）ａ，Ｄ３（Ｂ）ａが形成されていることによって、ＰＤＰの駆動時に、アドレス放電が透明電極Ｙａの先端部Ｙａ１に集中して発生するようになり、放電発生領域が放電セルの周縁部に広がるのが防止されて、安定した放電特性を得ることが出来るようになる。
【００７１】
そして、このＰＤＰは、緑色列電極Ｄ３（Ｇ）の拡幅部Ｄ３（Ｇ）ａが、他の赤色列電極Ｄ３（Ｒ），青色列電極Ｄ３（Ｂ）の拡幅部Ｄ３（Ｒ）ａ，Ｄ３（Ｂ）ａよりも行電極Ｘ，Ｙの透明電極ＸａとＹａ間の放電ギャップｇに対向する側に張り出す位置に配置されて放電ギャップｇに対向されているので、緑色放電セルＣ（Ｇ）におけるアドレス放電の放電電圧が低下して、赤，青色の蛍光材よりもアドレス放電を発生させ難い緑色蛍光材によって形成された緑色蛍光体層を有する緑色放電セルＣ（Ｇ）におけるアドレス放電の放電電圧を赤色放電セルＣ（Ｒ），青色放電セルＣ（Ｂ）におけるアドレス放電の放電電圧とほぼ等しくすることが出来るようになるので、各放電セルにおける放電特性が均一になってパネルの電圧マージンの向上が図られるようになる。
【００７２】
そしてさらに、このＰＤＰは、面積が赤色列電極Ｄ３（Ｒ），青色列電極Ｄ３（Ｂ）の拡幅部Ｄ３（Ｒ）ａ，Ｄ３（Ｂ）ａと等しい緑色列電極Ｄ３（Ｇ）の拡幅部Ｄ３（Ｇ）ａを他の赤色列電極Ｄ３（Ｒ），青色列電極Ｄ３（Ｂ）の拡幅部Ｄ３（Ｒ）ａ，Ｄ３（Ｂ）よりも列方向において放電セルＣ（Ｇ）の中央側にずれた位置に配置して、緑色放電セルＣ（Ｇ）の中央側に位置する端部を透明電極Ｘａ，Ｙａ間の放電ギャップｇに対向させることにより、緑色放電セルＣ（Ｇ）におけるアドレス放電の放電電圧を低下させて他の赤色放電セルＣ（Ｒ），青色放電セルＣ（Ｂ）におけるアドレス放電の放電電圧と等しくなるようにしているので、従来のＰＤＰのように、例えばフルＨＤのような画面の高精細化が進んで放電セルの面積が小さくなった場合でも、緑色列電極Ｄ３（Ｇ）の拡幅部Ｄ３（Ｇ）ａの行方向の両端部が緑色放電セルＣ（Ｇ）を区画する隔壁７の縦壁７Ａに重なるのを回避することが出来、これによって、従来のＰＤＰのように列電極の拡幅部が隔壁と重なって行電極と列電極間の静電容量を増大させたり放電電圧の低下の効果を喪失したりするのを防止することが出来るようになる。
【００７３】
この実施例にＰＤＰにおける他の技術的効果については、前述した第１実施例のＰＤＰとほぼ同様である。
【００７４】
そして、本発明を、上記のような略梯子形状の隔壁を備えたＰＤＰの他、略格子形状の隔壁や列方向に延びるストライプ形状の隔壁等、あらゆる形状の隔壁を備えたＰＤＰについても適用出来ること、および、上記のような透明電極が放電セル毎にバス電極から列方向に突出して島状に成形されている行電極を備えたＰＤＰの他、透明電極が行方向に連続するストライプ状に成形されている行電極を備えたＰＤＰにも適用出来ることについても、第１実施例の場合と同様である。
【００７５】
なお、上記においては、赤色列電極Ｄ３（Ｒ）の拡幅部Ｄ３（Ｒ）ａと青色列電極Ｄ３（Ｂ）の拡幅部Ｄ３（Ｂ）が互いに列方向において同じ位置に位置されている例について説明を行ったが、赤色蛍光材よりも放電を発生させ易い青色蛍光材によって形成された青色蛍光体層を有する緑色放電セルＣ（Ｂ）において、青色列電極の拡幅部を赤色列電極の拡幅部よりも列方向において行電極Ｙの透明電極Ｙａの基端部側にずれた位置に位置させるようにしても良く、これによって、アドレス放電の放電電圧を赤色放電セルＣ（Ｒ），緑色放電セルＣ（Ｇ），青色放電セルＣ（Ｂ）におけるアドレス放電の放電電圧をさらに均等にすることが出来るようになる。
【００７６】
なお、上記実施例においては、緑色蛍光体層を形成する蛍光材料がアドレス放電を最も発生させ難い場合を例に挙げて説明を行ったが、この例の場合に限らず、列電極の拡幅部は、アドレス放電を発生させ難い蛍光体層が形成された放電セルに対向する列電極の順に、放電セルの中心に対向する位置に近接する位置に配置される。
【００７７】
上記各実施例のＰＤＰは、放電空間を介して対向する前面基板および背面基板と、前面基板の背面側に設けられて行方向に延び列方向に並設されてそれぞれ放電ギャップを介して互いに対向する一対の行電極によって構成された複数の行電極対と、背面基板の前面基板に対向する側に設けられて列方向に延び行方向に並設されて行電極対と交差する部分の放電空間にそれぞれ単位発光領域を構成する複数の列電極と、各単位発光領域内に形成されてそれぞれ異なる色の発色を行う蛍光体層とを備えているプラズマディスプレイパネルにおいて、前記列電極が、それぞれ、行電極対を構成する一対の行電極のうちの一方の行電極の放電ギャップを介して他方の行電極に対向する先端部分に対向する部分に、他の部分よりも行方向の幅が大きい拡幅部を有し、前記単位発光領域のうちの所要の色の発色を行う蛍光体層が形成された単位発光領域に対向する列電極の拡幅部が、他の色の発色を行う蛍光体層が形成された単位発光領域に対向する列電極の拡幅部に対して、列方向にずれた位置に配置されている実施形態のＰＤＰを、その上位概念の実施形態としている。
【００７８】
この上位概念を構成する実施形態のＰＤＰによれば、各列電極に形成されている拡幅部によって、それぞれ、行電極対の一方の行電極の放電ギャップを介して他方の行電極に対向する先端部分と列電極との対向面積が拡大されているので、ＰＤＰの駆動時に、一方の行電極と列電極間でアドレス放電が行われる際に、このアドレス放電が行電極の放電ギャップが位置する単位発光領域の中央部分に集中して発生するようになり、放電発生領域が放電セルの周縁部に広がるのが防止されて、安定した放電特性を得ることが出来るようになる。
【００７９】
さらに、このＰＤＰは、各単位発光領域内に形成された異なる色、例えば、赤，緑，青色の発色を行う蛍光体層のうち、所要の色、例えば緑色の発色を行う蛍光体層が、この蛍光体層を挟んで行われるアドレス放電を他の色の発色を行う蛍光体層よりも発生させ難い蛍光材料によって形成されている場合に、この所要の色の発色を行う蛍光体層が形成された単位発光領域に対向する列電極の拡幅部が、他の色の発色を行う蛍光体層が形成された単位発光領域に対向する列電極の拡幅部に対して列方向にずれた位置に配置されるので、このアドレス放電を発生させ難い色の発色を行う蛍光体層が形成された単位発光領域に対向する列電極の拡幅部を、他の列電極の拡幅部よりもアドレス放電を発生させ易い位置に配置することが出来、これによって、アドレス放電を発生させ難い蛍光体層が形成された単位発光領域におけるアドレス放電の放電電圧を低下させて、各色の発色を行う単位発光領域における放電電圧とほぼ等しくなるように設定することにより、各単位発光領域における放電特性を均一化してパネルの電圧マージンを向上させることが出来るようになる。
【図面の簡単な説明】
【００８０】
【図１】ＰＤＰの従来例を示す正面図である。
【図２】この発明によるＰＤＰの第１実施例を示す正面図である。
【図３】図２のIII−III線における断面図である。
【図４】この発明によるＰＤＰの第２実施例を示す正面図である。
【図５】この発明によるＰＤＰの第３実施例を示す正面図である。
【符号の説明】
【００８１】
１            …前面ガラス基板（前面基板）
５            …背面ガラス基板（背面基板）
７            …隔壁
７Ａ          …縦壁
７Ｂ          …横壁
８（Ｒ）      …赤色蛍光体層（蛍光体層）
８（Ｇ）      …緑色蛍光体層（蛍光体層）
８（Ｂ）      …青色蛍光体層（蛍光体層）
Ｃ（Ｒ）      …赤色放電セル（単位発光領域）
Ｃ（Ｇ）      …緑色放電セル（単位発光領域）
Ｃ（Ｂ）      …青色放電セル（単位発光領域）
Ｄ１（Ｒ），Ｄ２（Ｒ），Ｄ３（Ｒ）  …赤色列電極（列電極）
Ｄ１（Ｇ），Ｄ２（Ｇ），Ｄ３（Ｇ）  …緑色列電極（列電極）
Ｄ１（Ｂ），Ｄ２（Ｂ），Ｄ３（Ｂ）  …青色列電極（列電極）
Ｄ１（Ｒ）ａ，Ｄ１（Ｇ）ａ，Ｄ１（Ｂ）ａ，Ｄ２（Ｒ）ａ，Ｄ２（Ｇ）ａ，Ｄ２（
Ｂ）ａ，Ｄ３（Ｒ）ａ，Ｄ３（Ｇ）ａ，Ｄ３（Ｂ）ａ      …拡幅部
Ｓ              …放電空間
ＷR，ＷG，ＷB   …行方向の幅
Ｌ１R，Ｌ１G，Ｌ１B，Ｌ２R，Ｌ２G，Ｌ２B，Ｌ３R，Ｌ３G，Ｌ３B
…列方向の幅
Ｘ，Ｙ          …行電極
Ｘａ，Ｙａ      …透明電極
Ｘａ１，Ｙａ１  …先端部（先端部分）
Ｘｂ，Ｙｂ      …バス電極
ｇ              …ギャップ
【図１】
2009004317.tif 000003
【図２】
2009004317.tif 000004
【図３】
2009004317.tif 000005
【図４】
2009004317.tif 000006
【図５】
2009004317.tif 000007